(57)【要約】【課題】見本収納容器自体にリシール（再封）性をもたせ、一度開封してしまっても、中身を使い終わるまで何度でもシール（封）することを可能にし、開封後の商品見本の中身を確実に保護することができるブリスターパックを提供する。【解決手段】見本収納容器の基材に折り曲げ線を入れた延長部を形成し、同延長部を折り曲げ線で折り曲げた時にできる折り曲げ部によって、同容器に見本取り出し用の穴を開け、そしてその穴を塞ぐ蓋とすることができる見本収納容器である。この構成により、従来蓋を設けることが出来なかったこの種の見本収納容器に蓋を設けることが可能となり、見本の汚染を未然に防ぐことが可能となった。【選択図】    図１
2005298020.tif 000002
【特許請求の範囲】
【請求項１】
商品見本を収納する見本収納容器において、同見本収納容器を構成する基材に折り曲げ線をいれた延長部を形成し、同延長部を折り曲げ線で折り曲げた折り曲げ部によって同容器に開けた見本取り出し用の穴を塞ぐことができるようにしたことを特徴とする見本収納容器。
【請求項２】
前記折り曲げ部には、商品見本を収納する見本収納容器のシート材に穴を開けることができる突起を有することを特徴とする請求項１に記載の見本収納容器。
【請求項３】
前記突起の周囲にはシール部を形成したことを特徴とする請求項１に記載の見本収納容器。
【請求項４】
前記延長部または前記見本収納容器の裏側の少なくとも一方側に、前記延長部によって容器に開けた穴を塞いだ際に、穴から内容物が漏洩するのを防止する粘着剤を設けたことを特徴とする請求項１〜請求項３のいずれかに記載の見本収納容器。
【請求項５】
前記折り曲げ部には、折り曲げ部によって容器に開けた穴を塞いだ際に、折り曲げ部を基材に固定する固定手段を備えていることを特徴とする請求項１〜請求項４のいずれかに記載の見本収納容器。
【請求項６】
前記固定手段は、前記延長部を前記見本収納容器の基材に係止することができる係止手段であることを特徴とする請求項５に記載の見本収納容器。
【請求項７】
前記固定手段は、前記延長部を前記見本収納容器の基材に再剥離可能に接着固定できる粘着剤である特徴とする請求項５に記載の見本収納容器。
【発明の詳細な説明】
【技術分野】
【０００１】
本発明は、食品、化粧品、薬等種々の商品見本を確実に保護しながら、かつ、見本全体を比較的薄く構成することができる商品見本収納容器に関するものであり、特に化粧水、乳液、クリームなどの基礎化粧料やヘアージェル、シャンプー、リンス、リキッドソープ等液状の商品見本を少量充填したブリスターパック、サーマルフォームあるいはポーションパック等と呼ばれる商品見本収納容器に関するものである。
【背景技術】
【０００２】
従来より、液状の商品見本を少量充填した商品見本収納容器が良く知られている。これら見本容器には商品説明、使用方法や販売促進のための文章が併せて記載されており、現在知られている種々の流通形態を介して見本が消費者に提供されている。
【０００３】
この種の見本用容器の一例として、例えば化粧品、菓子、錠剤薬、等を収納するブリスターパックが良く知られている（特許文献１）。
【０００４】
【特許文献１】特開２０００−２０３６３４
【０００５】
また、上記とは別に、図６に示すブリスターパックも良く知られている。
図６に示したブリスターパックの構造を簡単に説明しておくと、このブリスターパックは合成樹脂材からなる基材１０１と、この基材に一体に成形した容器１０２と、この容器１０２内に収納する見本商品（例えば乳液など）１０３と、この基材１０１に成形した容器部分に対応する開口部に蓋をするシート材（たとえばアルミシート等）１０４などで構成されている。
容器１０２は真空成形型等により基材１０１に一体に成形されており、さらに容器１０２には図６に示すように容器１０２から商品見本を取り出すための口１０５が形成され、さらにこの口１０５には基材１０１と共に、切り込み１０６が入れられていて、この切り込み１０６を折曲げることで容易に口１０５を開け、商品見本１０３を取り出すことができる構成となっている。また基材１０１の容器１０２に対応する開口部に張りつけるシート材１０４は、プラスチックフィルム、アルミシートなど種々のシート材を使用することができる。基材１０１およびシート材１０４には、商品名、商品見本の説明、使用方法等を記載しておくことで、消費者が簡単に商品見本を試してみることができるようになっている。
【発明の開示】
【発明が解決しようとする課題】
【０００６】
しかしながら、前記従来の見本収納容器では、図６に示す如く、一体型であるが故に、蓋がなく、前記切り込み１０６の部分で折り曲げて口１０５を開けると、即ち、一度封を切ってしまうと中身が残っていても口１０５の部分を蓋等で密封することが出来ず、口１０５から内容物が漏れたり、雑菌や異物が容器内に入り込み中身が汚染され易いという問題点があった。
そこで、本発明は、見本収納容器自体にリシール（再封）性をもたせ、一度開封してしまっても、中身を使い終わるまで何度でもシール（封）することを可能にし、開封後の商品見本の中身を確実に保護することができるブリスターパックを提供し、上記問題点を解決することを目的とする。
【課題を解決するための手段】
【０００７】
このため、本発明が採用した技術解決手段は、
商品見本を収納する見本収納容器において、同見本収納容器を構成する基材に折り曲げ線をいれた延長部を形成し、同延長部を折り曲げ線で折り曲げた折り曲げ部によって同容器に開けた見本取り出し用の穴を塞ぐことができるようにしたことを特徴とする見本収納容器である。
また、前記折り曲げ部には、商品見本を収納する見本収納容器のシート材に穴を開けることができる突起を有することを特徴とする見本収納容器である。
また、前記突起の周囲にはシール部を形成したことを特徴とする見本収納容器である。  また、前記延長部または前記見本収納容器の裏側の少なくとも一方側に、前記延長部によって容器に開けた穴を塞いだ際に、穴から内容物が漏洩するのを防止する粘着剤を設けたことを特徴とする見本収納容器である。
また、前記折り曲げ部には、折り曲げ部によって容器に開けた穴を塞いだ際に、折り曲げ部を基材に固定する固定手段を備えていることを特徴とする見本収納容器である。
また、前記固定手段は、前記延長部を前記見本収納容器の基材に係止することができる係止手段であることを特徴とする見本収納容器である。
また、前記固定手段は、前記延長部を前記見本収納容器の基材に再剥離可能に接着固定できる粘着剤である特徴とする見本収納容器である。
【発明の効果】
【０００８】
本発明によれば、従来蓋を設けることが出来なかったこの種の見本収納容器に蓋を設けることが可能となり、見本の汚染を未然に防ぐことが可能となるため、一つの見本収納容器の充填量を一回使用分に限定せずに、数回分、あるいは一週間分といった複数回使用分の内容量を充填した大きな見本収納容器を作ることが可能となる。また、本発明により、蓋を設けることができないという、ミニチュア容器に比べ唯一劣っていたブリスターパック、サーマルフォーム或いはポーションパックの最大の欠点が解消され、液状製品や見本品へのこれらの容器の採用が一気にすすむことが考えられる、等の本発明特有の優れた作用効果を奏することができる。
【発明を実施するための最良の形態】
【０００９】
本発明は、見本収納容器の基材に折り曲げ線を入れた延長部を形成し、同延長部を折り曲げ線で折り曲げた時にできる折り曲げ部によって、同容器に見本取り出し用の穴を開け、そしてその穴を塞ぐ蓋とすることができる見本収納容器である。この構成により、従来蓋を設けることが出来なかったこの種の見本収納容器に蓋を設けることが可能となり、見本の汚染を未然に防ぐことが可能となった。
【実施例】
【００１０】
以下、本発明にかかる商品見本用容器の実施例を図面を参照して説明する。尚、以下に説明する実施例での見本用容器は、乳液等の液状化粧品を商品見本とした態様である。
【００１１】
図１（ａ）は本発明に係る第１実施例としての商品見本収納容器の側面図、図１（ｂ）はその平面図、（ｃ）は突起の他の例を示す図である。
図１において、プラスチック材等からなる基材１には、前述したように商品見本を収納する容器２および容器に連通する口３が一体に形成されている。口には従来のような切り込み線はなく、また、基材１の裏面には、容器２の開口部を塞ぐためのシート材１Ａが取り付けられている。
【００１２】
基材１は図１に示すように容器２の口３の部分をさらに延長した延長部をもつ形状４となっており、延長部４には、図に示すように２本の折り曲げ線（切り込み線）５、６が入れられている。そして延長部４の先端部の折り曲げ部（蓋）４Ａには、基材１の裏側開口部に貼りつけたシート材１Ａに穴を開けることができる先端が尖った突起７が図示のように容器２と同じ側に一体に成形されている。前記突起７の周囲には、図中斜線の部分に接着力があり、かつ再剥離性のある粘着剤８が塗布または貼付されている。なお、粘着剤８の塗布範囲は、図中斜線部に限定することなく、蓋４Ａとして機能する折り曲げ部に対して、全周囲、あるいは一部に適宜塗布することが可能である。また、商品見本を取り出すために一度開口した穴を完全にシールするには、穴の全周囲を塞ぐことが望ましい。このため突起７の全周囲に粘着剤８を塗布することがよい。この粘着剤８には、適宜フィルムシートが取り付けられており、折り曲げ部４Ａを蓋として使用するときにこのフィルムシートを剥がして利用することになる。また粘着剤８を使用せず、（ｃ）に示すように突起７の周囲にシール機能を果たすシール部７ａを形成することも可能である。この時にも、シール部７ａの頂部に粘着剤８を塗布または貼付して穴の周囲を完全に塞ぐことができるようにすることが望ましい。
【００１３】
上記構成からなるブリスターパックでは、商品見本を取り出す時には、前記延長部に形成した折り曲げ部４Ａを折り曲げ線（切り込み線）５、６を使って図（ａ）に示すように２回折り曲げ、突起７でシート材１Ａの前記口３の裏側（口３の真裏に対応する部分がのぞましい）に該当する部分に穴を開ける。その後、突起７を穴から抜取り、この穴から商品見本を取り出して使用する。
使用後は、再び折り曲げ部４Ａを前述のように２回折り曲げ、前記突起７を穴の中に差し込んで穴を塞ぐ。それと同時に、突起周囲に塗布した再剥離性のある固定手段としての粘着剤８により折り曲げ部４Ａをシート材１Ａに貼りつけ固定する。こうすることで、シート材１Ａに開けた穴に蓋をすることができ、口から内容物が漏れたり、雑菌や異物が容器内に入り込み中身が汚染されるという問題を回避することができる。
【００１４】
図２（ａ）は本発明に係る第２実施例としての商品見本収納容器の側面図、（ｂ）はその平面図である。
図２において、プラスチック材等からなる基材２１には、第１実施例と同様に見本を収納する容器２２および容器に連通する口２３が一体に形成されている。基材２１は図２に示すように容器の口２３の部分からさらに延長した延長部２４があり、同延長部２４には、図に示すように１本の折り曲げ線（切り込み線）２５が入れられている。また延長部２４には図２中、符号２６で示すような固定手段としての切り込みを入れておくこともできる。そして延長部２４の先端部の折り曲げ部（蓋）２４Ａの裏面には第１実施例と同様に固定手段として再剥離性のある粘着剤２８が図中斜線で示すような適宜範囲で塗布されている。この粘着剤２８には、適宜フィルムシートが取り付けられており、蓋として使用するときにこのフィルムシートを剥がして利用することになる。
【００１５】
上記構成からなるブリスターパックでは、商品見本を取り出す時には、容器２３の口の部分の裏面（口の真裏に対応する部分がのぞましい）のシート材２１Ａに、楊枝や鉛筆等の突起で穴を開ける。そして容器２２の部分を指で押し、この穴から商品見本を取り出して使用する。
使用後は、折り曲げ部（蓋）２４Ａの裏面に貼られた粘着剤２８部分のフィルムを剥がした状態で折り曲げ部２４Ａを図（ａ）に示すように折り曲げ、前記穴に蓋をし、固定手段である粘着材２８によって折り曲げ部２４Ａをシート材２１Ａに貼りつけ固定する。こうすることで、容器裏側のシートに開けた穴を容易に塞ぐことができ、一度あけた穴から内容物が漏れたり、雑菌や異物が容器内に入り込み中身が汚染されるという問題を回避することができる。また、折り曲げ部２４Ａを折り曲げた状態で、前述した固定手段としての切り込み２６の部分に挟みこみ、折り曲げ部２４Ａを容器側に固定することもできる。
【００１６】
図３（ａ）は本発明に係る第３実施例としての商品見本収納容器の側面図、同（ｂ）はその平面図である。
第３実施例も、前述した前記実施例２と同様に基材３１に図３に示すように容器の口３３の部分から先端に向かって延長部３４が形成されている。延長部３４には図中（イ）、（ロ）、（ハ）の部分を区画する折り曲げ線３５、３６が形成されており、また、その延長部３４の側部３７（図中斜線部で示す範囲）は、適宜切り取ることができる構成となっている。具体的には、容器３２の首の所から延長部３４の（ロ）の範囲まで、先端に行くにつれて幅が狭くなる切り取り線（例えばミシン目等）３８が入れられており、この切り取り線３８を利用して、図中斜線部分を、基材３１、シート材３１Ａと共に切り取ることができる構成となっている。
【００１７】
また延長部３４の折り曲げ部３４Ａ（図中（イ）の部分）では、前記切り取り線３８を延長した切り込み線３９が基材３１のみに入れられており、さらにこの切り込み線３９の外側には、基材３１とシート材３１Ａとが接着されていない非ヒートシール部３４Ｃが形成され、さらにその外側は基材３１とシート材３１Ａとがヒートシールされた状態となっている。
したがって、側部３７を切り取った状態では、延長部の折り曲げ部３４Ａのみ（図中（イ）の部分）が残った状態となっている。さらにこの（イ）の部分では、切り込み線３９により基材３１のみが切り込まれている構成となっており、切り込み線３９の外側には所定幅の非ヒートシール３４Ｃが形成されているため、基材３１と、シート材３１Ａとがこの部分では非接着状態となっており、後述の固定手段となる。
【００１８】
この容器では、第１実施例と同様に基材３１の延長部を折り曲げ線３５、３６で折り曲げ、突起３４Ｂによってシート材３１Ａの前記口３３の真裏に該当する部分に穴を開け、内容物を取り出すことができる。使用後は、側部３７を切り取った状態で第１実施例と同様に延長部を２回折り曲げ、突起３４Ｂを再び穴に差し込み蓋をする。それと同時に、前記折り曲げ部３４Ａ上に設けた非シートシール部３４Ｃを利用して、延長部（ハ）の側部を挟み込む。延長部（ハ）の部分は、延長部（イ）の部分の切り込み部よりも幅が僅かに広いたため、非ヒートシール部３４Ｃの部分で、延長部（ハ）を挟持することができる。こうすることで、シート材３１Ａに開けた穴に蓋をするとともに、蓋を固定することができ、口から内容物が漏れたり、雑菌や異物が容器内に入り込み中身が汚染されるという問題を回避することができる。
なお、本例の場合でも、必要に応じて蓋部に再剥離性の粘着剤を塗布することもできる。
【００１９】
図４（ａ）は本発明に係る第４実施例としての商品見本収納容器の側面図、同（ｂ）はその平面図である。
第４実施例は、第３実施例の変形例である。第４実施例も、前述した前記実施例３と同様に基材４１に図４に示すように容器の口４３の部分から先端に向かって延長部４４が形成されている。延長部４４には図中（イ）、（ロ）、（ハ）の部分を区画する折り曲げ線４５、４６が形成されており、また、その延長部４４の側部４７（図中斜線部で示す範囲）は、適宜切り取ることができる構成となっている。具体的には、容器４２の首の所から延長部４４の（ロ）の範囲まで切り取り線（例えばミシン線など）４８を入れておき、この切り取り線４８を利用して、図中斜線部分４７を基材４１、シート材４１Ａと共に切り取ることができる構成にしておくか、あるいは抜き型等で予め切り取っておく。
加えて、切り取られる図中斜線分４７の形状は外側の長辺が内側の長辺よりも短い台形を成している。即ち斜線部分４７の図中、Ｘ、Ｙで示す辺のうち少なくとも一方側の辺が（図ではＸの辺）が斜線部分４７側に入り込み斜めの辺として形成されている（固定手段に相当）。
【００２０】
この容器では、第３実施例と同様に基材４１の延長部４４を折り曲げ線４５、４６を使って２回折り曲げ、突起４４Ａによってシート材４１Ａの前記口４３の真裏に該当する部分に穴を開け、内容物を取り出すことができる。使用後は、側部４７を切り取った状態で第３実施例と同様に延長部４４を２回折り曲げ、突起４４Ａを再び穴に差し込み蓋をする。それと同時に、折り曲げられた延長部（イ）の辺Ｘ部分を少し変形させながら、延長部（ハ）の辺Ｙの部分に引っ掛ける。この時、少なくとも辺Ｘ、辺Ｙのいずれか一方が、斜線部分３７側に傾斜して形成されているため、延長部を折り曲げた時に、辺Ｘと辺Ｙとが重なり合って係合することになる。なお、両辺Ｘ、Ｙとも斜線部４７側に入り込む傾斜辺としてもよいことは当然である。こうすることで、シート材４１Ａに開けた穴に蓋をするとともに、蓋を固定することができ、口から内容物が漏れたり、雑菌や異物が容器内に入り込み中身が汚染されるという問題を回避することができる。なお、本例の場合でも、必要に応じて蓋部に剥離性の粘着剤を塗布または貼付することもできるし、突起４４Ａを図１（ｃ）に示すようなシール性を有する突起とすることもできる。また切り取る部分の形状は台形に限定されず、延長部を２回折り曲げて、辺Ｘを辺Ｙに引っ掛けることができれば、種々の形状を採用することができる。
【００２１】
図５（ａ）は本発明に係る第５実施例としての商品見本収納容器の側面図、同（ｂ）はその平面図である。
第５実施例は、第３実施例の変形例である。基材５１は図のように斜線部５２を切り取ることができる形状となっている。また折り曲げ部（蓋）５３には、固定手段としての切り込み５５が入れられている。このようにすることで、使用後、折り曲げ部５３で蓋をする場合には、斜線部５２を切り取り、折り曲げ部５３を折り曲げ線５４を利用して２回折り曲げた状態で、折り曲げ部５３に入れた切り込み５５により基材５１を挟み、折り曲げ部５３を基材に固定することができる。なお、この例でも突起５６の周囲に再剥離性のある粘着剤を適宜塗布することができるし、突起５６を図１（ｃ）に示すようなシール性を有する突起とすることもできる。
【００２２】
前記見本収納容器を形成する基材は、種々のプラスチック材を使用することができるが、収納された商品見本が見えるように透明な材料を使用することもできる。
また見本収納用フィルムの成形は真空成形技術に限定することなく、真空成形、サーマルフォーム、またはホットプレス等あらゆる成形技術により成形することも可能である。
【００２３】
以上、本実施形態の一例を説明したが、商品見本としては、食品、化粧品、薬剤等広く対象とすることができ、見本収納用基材に形成した容器裏面に貼りつけるシート材には種々のプラスチックフィルムやアルミフォイルを使用することができる。また商品見本は１個づつとして構成したり、例えば複数の見本を一つのフィルム上に配置することも可能である。見本収納容器の先端上部に成形する突起は円錐形をしているが、円錐形である必要はなく、先端さえ尖っていれば三角錐であっても四角錐であってもよく、形を問わない。また、突起自体に段を形成し、突起を穴に差し込むことで、突起部を穴に係止することができるようにしてもよい。
また、本発明はその精神又は主要な特徴から逸脱することなく他の色々な形で実施することができる。また、前述の実施例はあらゆる点で単なる例示に過ぎず、限定的に解釈してはならない。
【産業上の利用可能性】
【００２４】
本発明は、化粧水、乳液、クリームなどの基礎化粧料やヘアージェル、シャンプー、リンス、リキッドソープ等液状の商品見本を少量充填したブリスターパック、サーマルフォームあるいはポーションパック等と呼ばれる商品見本収納容器に利用することができる。
【図面の簡単な説明】
【００２５】
【図１】本発明の商品見本収納容器の側面図、平面図、突起の他の例を示す図である。
【図２】第２実施例に係る商品見本収納容器の側面図、平面図である。
【図３】第３実施例に係る商品見本収納容器の側面図、平面図である。
【図４】第４実施例に係る商品見本収納容器の側面図、平面図である。
【図５】第５実施例に係る商品見本収納容器の側面図、平面図である。
【図６】従来の商品見本収納容器の平面図およびＡ−Ａ断面図である。
【符号の説明】
【００２６】
１          基材
２          容器
３          口
４          延長部
４Ａ        折り曲げ部（蓋）
５、６      折り曲げ線
７          突起
８          粘着剤
２１          基材                                                              ２２          容器
２３          口
２４          延長部
２５          折り曲げ線
２６          切り込み
２８          粘着剤
３１          基材                                                              ３２          容器
３３          口
３４          延長部
３５、３６    折り曲げ線
３７          側部
３８          切り取り線
３９          切り込み線
４１          基材                                                              ４２          容器
４３          口
４４          延長部
４５、４６    折り曲げ線
４７          斜線部（側部）
４８          切り取り線
５１          基材                                                              ５２          斜線部（側部）
５３          折り曲げ部
５４          折り曲げ線
５５          切り込み
５６          突起
【図１】
2005298020.tif 000003
【図２】
2005298020.tif 000004
【図３】
2005298020.tif 000005
【図４】
2005298020.tif 000006
【図５】
2005298020.tif 000007
【図６】
2005298020.tif 000008
【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
商品見本を収納する見本収納容器において、同見本収納容器を構成する基材に折り曲げ線をいれた延長部を形成し、同延長部を折り曲げ線で折り曲げた折り曲げ部に商品見本を収納する見本収納容器のシート材に穴を開けることができる突起を前記基材と一体に形成し、同突起により前記見本収納容器のシート材に穴を開け見本を取り出せるようにするとともに、前記シート材に開けた見本取り出し用の穴を塞ぐことができるようにしたことを特徴とする見本収納容器。
【請求項２】
前記突起の周囲にはシール部を形成したことを特徴とする請求項１に記載の見本収納容器。
【請求項３】
前記延長部または前記見本収納容器の裏側の少なくとも一方側に、前記延長部によって容器に開けた穴を塞いだ際に、穴から内容物が漏洩するのを防止する粘着剤を設けたことを特徴とする請求項１または請求項２に記載の見本収納容器。
【請求項４】
前記折り曲げ部には、折り曲げ部によって容器に開けた穴を塞いだ際に、折り曲げ部を基材に固定する固定手段を備えていることを特徴とする請求項１〜請求項３のいずれかに記載の見本収納容器。
【請求項５】
前記固定手段は、前記延長部を前記見本収納容器の基材に係止することができる係止手段であることを特徴とする請求項４に記載の見本収納容器。
【請求項６】
前記固定手段は、前記延長部を前記見本収納容器の基材に再剥離可能に接着固定できる粘着剤である特徴とする請求項４に記載の見本収納容器。
【手続補正２】
【補正対象書類名】明細書
【補正対象項目名】０００７
【補正方法】変更
【補正の内容】
【０００７】
このため本考案が採用した技術解決手段は、
商品見本を収納する見本収納容器において、同見本収納容器を構成する基材に折り曲げ線をいれた延長部を形成し、同延長部を折り曲げ線で折り曲げた折り曲げ部に商品見本を収納する見本収納容器のシート材に穴を開けることができる突起を前記基材と一体に形成し、同突起により前記見本収納容器のシート材に穴を開け見本を取り出せるようにするとともに、前記シート材に開けた見本取り出し用の穴を塞ぐことができるようにしたことを特徴とする見本収納容器である。
また、前記突起の周囲にはシール部を形成したことを特徴とする見本収納容器である。  また、前記延長部または前記見本収納容器の裏側の少なくとも一方側に、前記延長部によって容器に開けた穴を塞いだ際に、穴から内容物が漏洩するのを防止する粘着剤を設けたことを特徴とする見本収納容器である。
また、前記折り曲げ部には、折り曲げ部によって容器に開けた穴を塞いだ際に、折り曲げ部を基材に固定する固定手段を備えていることを特徴とする見本収納容器である。
また、前記固定手段は、前記延長部を前記見本収納容器の基材に係止することができる係止手段であることを特徴とする見本収納容器である。
また、前記固定手段は、前記延長部を前記見本収納容器の基材に再剥離可能に接着固定できる粘着剤である特徴とする見本収納容器である。